(57)【要約】【課題】リグノセルロースの酵素糖化により生成した糖の水溶液をエタノール醗酵させて得られたエタノール水溶液を濃縮する装置を提供する。【解決手段】エタノール水溶液の濃縮装置１は、水分離膜２１と、水分離膜２１の一方の面側に設けられたエタノール水溶液収容部２４と、水分離膜２１の他方の面側に設けられた減圧手段６とを備え、さらに、エタノール水溶液収容部２４にエタノール水溶液を供給するエタノール水溶液供給手段３と、エタノール水溶液収容部２４の上方に設けられたエタノール蒸気滞留部２５と、エタノール蒸気滞留部２５に乾燥ガスを供給する乾燥ガス供給手段４と、エタノール蒸気滞留部２５の内部を吸引する吸引手段５と、エタノール蒸気滞留部２５と吸引手段５との間に設けられ、エタノール蒸気滞留部２５から吸引されたエタノール蒸気を凝縮して濃縮されたエタノールを回収するエタノール回収手段５３とを備える。【選択図】  図１
2010240566.tif 000002
【特許請求の範囲】
【請求項１】
水分離膜と、
該水分離膜の一方の面側に設けられ、リグノセルロースの酵素糖化により生成した糖の水溶液をエタノール醗酵させて得られたエタノール水溶液を収容するエタノール水溶液収容部と、
該水分離膜の他方の面側に設けられた減圧手段とを備え、該エタノール水溶液を濃縮する装置であって、
該エタノール水溶液収容部に該エタノール水溶液を供給するエタノール水溶液供給手段と、
該エタノール水溶液収容部の上方に設けられエタノール蒸気を滞留させるエタノール蒸気滞留部と、
該エタノール蒸気滞留部に乾燥ガスを供給する乾燥ガス供給手段と、
該エタノール蒸気滞留部の内部を吸引する吸引手段と、
該エタノール蒸気滞留部と該吸引手段との間に設けられ、該エタノール蒸気滞留部から吸引されたエタノール蒸気を凝縮して濃縮されたエタノールを回収するエタノール回収手段とを備えることを特徴とするエタノール水溶液の濃縮装置。
【請求項２】
前記エタノール水溶液収容部から前記エタノール水溶液を取り出し、前記エタノール水溶液供給手段に供給するエタノール水溶液循環手段を備えることを特徴とする請求項１記載のエタノール水溶液の濃縮装置。
【請求項３】
前記水分離膜は、芳香族スルホン酸イオン又は脂肪族スルホン酸イオンがドープされているポリピロールからなることを特徴とする請求項１又は請求項２記載のエタノール水溶液の濃縮装置。
【発明の詳細な説明】
【技術分野】
【０００１】
本発明は、リグノセルロースを含むバイオマスの酵素糖化により生成した糖の水溶液をエタノール醗酵させて得られたエタノール水溶液を濃縮する装置に関するものである。
【背景技術】
【０００２】
近年、地球温暖化防止の観点から、その原因の一つと考えられている二酸化炭素排出量を削減することが求められている。そこで、ガソリン等の液体炭化水素とエタノールとの混合燃料を自動車燃料に用いることが検討されている。
【０００３】
前記エタノールとしては、植物性物質、例えばサトウキビ、トウモロコシ等の農作物の醗酵により得たエタノールを用いることができる。前記植物性物質は、原料となる植物自体が既に光合成により二酸化炭素を吸収しているので、かかる植物性物質から得られたエタノールを燃焼させたとしても、排出される二酸化炭素の量は前記植物自体が吸収した二酸化炭素の量に等しい。即ち、総計としての二酸化炭素の排出量は理論的にはゼロになるという所謂カーボンニュートラル効果を得ることができる。
【０００４】
従って、前記ガソリン等の液体炭化水素に代えて前記エタノールを用いた分だけ、二酸化炭素排出量を削減することができる。
【０００５】
ところが、前記サトウキビ、トウモロコシ等は、エタノールの原料として大量に消費されると、食料として供給される量が減少するという問題がある。
【０００６】
そこで、前記植物性物質として、サトウキビ、トウモロコシ等に代えて、食用ではないバイオマスであってリグノセルロースを含むものを用いてエタノールを製造する技術が検討されている。前記リグノセルロースを含むバイオマスとしては、例えば、木材、稲わら、麦わら、竹、パルプ及びこれらから生じる廃棄物例えば古紙等を挙げることができる。
【０００７】
前記エタノール製造方法として、リグノセルロースを含むバイオマスに糖化酵素を加えて該リグノセルロースを酵素糖化させて糖の水溶液を生成し、該糖の水溶液にさらにエタノール醗酵菌を加えてエタノール醗酵させてエタノール水溶液を得る方法が知られている（特許文献１及び特許文献２参照）。
【０００８】
しかしながら、前記エタノール製造方法で得られたエタノール水溶液は、エタノール濃度が０．５〜５重量％と希薄であるので、このままでは前記自動車燃料に用いることが難しいという問題がある。
【０００９】
そこで、水分離膜と、該水分離膜の一方の面側に設けられ前記エタノール水溶液を収容するエタノール水溶液収容部と、該水分離膜の他方の面側に設けられた減圧手段とを備えるエタノール水溶液の濃縮装置により、パーベーパレーション法を行って、該エタノール水溶液から水を分離し濃縮することが考えられる。
【００１０】
しかしながら、前記エタノール水溶液の濃縮装置では、濃縮されたエタノールは、前記エタノール水溶液から一部の水が分離されているにも関わらず、エタノール濃度が３．０〜５．５重量％と低いままであるという不都合がある。
【先行技術文献】
【特許文献】
【００１１】
【特許文献１】特開２００６−１３６２６３号公報
【特許文献２】特開２００６−８８１３６号公報
【発明の概要】
【発明が解決しようとする課題】
【００１２】
本発明は、かかる不都合を解消して、リグノセルロースの酵素糖化により生成した糖の水溶液をエタノール醗酵させて得られたエタノール水溶液を濃縮する装置を提供することを目的とする。
【課題を解決するための手段】
【００１３】
本発明者らは、前記目的を達成するために、前記エタノール水溶液の濃縮装置において、リグノセルロースの酵素糖化により生成した糖の水溶液をエタノール醗酵させて得られたエタノール水溶液から、濃縮されたエタノールを得ることができない理由について鋭意検討した。この結果、本発明者らは、前記一部の水が分離されたエタノール水溶液から蒸発したエタノール蒸気が、該エタノール水溶液の液面より上方の空間に滞留していることを見出した。
【００１４】
本発明者らは、前記知見に基づいてさらに検討を重ねた結果、前記エタノール水溶液の液面より上方の空間に滞在しているエタノール蒸気を凝縮することにより、濃縮されたエタノールを得ることができることを見出し、本発明に到達した。
【００１５】
すなわち、本発明は、水分離膜と、該水分離膜の一方の面側に設けられ、リグノセルロースの酵素糖化により生成した糖の水溶液をエタノール醗酵させて得られたエタノール水溶液を収容するエタノール水溶液収容部と、該水分離膜の他方の面側に設けられた減圧手段とを備え、該エタノール水溶液を濃縮する装置であって、該エタノール水溶液収容部に該エタノール水溶液を供給するエタノール水溶液供給手段と、該エタノール水溶液収容部の上方に設けられエタノール蒸気を滞留させるエタノール蒸気滞留部と、該エタノール蒸気滞留部に乾燥ガスを供給する乾燥ガス供給手段と、該エタノール蒸気滞留部の内部を吸引する吸引手段と、該エタノール蒸気滞留部と該吸引手段との間に設けられ、該エタノール蒸気滞留部から吸引されたエタノール蒸気を凝縮して濃縮されたエタノールを回収するエタノール回収手段とを備えることを特徴とする。
【００１６】
本発明の装置では、まず、エタノール水溶液供給手段により、エタノール水溶液をエタノール水溶液収容部に供給する。前記エタノール水溶液は、リグノセルロースの酵素糖化により生成した糖の水溶液をエタノール醗酵させて得られたものである。
【００１７】
次に、減圧手段により、水分離膜のエタノール水溶液収容部の反対側を減圧する。これにより、前記エタノール水溶液収容部に収容されているエタノール水溶液に対して、パーベーパレーション法が施され、該エタノール水溶液から一部の水が分離される。
【００１８】
一方、前記パーベーパレーション法が施されたエタノール水溶液は、一部の水が分離されたことにより、該パーベーパレーション法が施される前のエタノール水溶液と比較して、エタノール濃度が高くなっている。これにより、前記パーベーパレーション法が施されたエタノール水溶液からは、エタノールが蒸発しやすくなる。この結果、エタノール蒸気が、エタノール水溶液収容部の上方に設けられたエタノール蒸気滞留部に滞留する。
【００１９】
そこで、本発明の装置では、次に、乾燥ガス供給手段により、乾燥ガスをエタノール蒸気滞留部に供給するとともに、吸引手段により、前記エタノール蒸気滞留部の内部を吸引する。これにより、前記吸引手段により、前記エタノール蒸気滞留部に滞留している前記エタノール蒸気が吸引される。このとき、エタノール蒸気滞留部に前記乾燥ガス供給手段により乾燥ガスが供給されているので、前記吸引手段は前記エタノール蒸気の吸引を継続することができる。
【００２０】
次に、エタノール回収手段により、吸引された前記エタノール蒸気を凝縮して濃縮されたエタノールを回収する。前記濃縮されたエタノールは、前記パーベーパレーション法が施される前のエタノール水溶液と比較して、エタノール濃度が高くなっている。
【００２１】
したがって、本発明の装置によれば、リグノセルロースの酵素糖化により生成した糖の水溶液をエタノール醗酵させて得られたエタノール水溶液から、濃縮されたエタノールを得ることができる。
【００２２】
また、本発明の装置においては、前記エタノール水溶液収容部から前記エタノール水溶液を取り出し、前記エタノール水溶液供給手段に供給するエタノール水溶液循環手段を備えることが好ましい。このようにすることにより、リグノセルロースの酵素糖化により生成した糖の水溶液をエタノール醗酵させて得られたエタノール水溶液に含まれるリグニンや有機酸が、前記水分離膜の表面に堆積することを防止し、前記水分離膜による水分離を促進することができる。
【００２３】
この結果、前記パーベーパレーション法が施されたエタノール水溶液のエタノール濃度が高くなり、該エタノール水溶液からのエタノール蒸発量が増加するとともに、該エタノール水溶液の液面より上方の空間に滞留しているエタノール蒸気のエタノール濃度が高くなる。そして、エタノール濃度が高くなった前記エタノール蒸気を凝縮することにより、より高濃度に濃縮されたエタノールを得ることができる。したがって、前記エタノール水溶液循環手段を備える本発明の装置によれば、リグノセルロースの酵素糖化により生成した糖の水溶液をエタノール醗酵させて得られたエタノール水溶液から、より高濃度に濃縮されたエタノールを得ることができる。
【００２４】
また、本発明の装置においては、前記水分離膜として、ゼオライトからなる膜を用いることが可能である。しかし、ゼオライトからなる水分離膜を用いたパーベーパレーション法では、リグノセルロースの酵素糖化により生成した糖の水溶液をエタノール醗酵させて得られたエタノール水溶液に含まれる有機酸により、該水分離膜の水分離能が損なわれるという問題がある。この場合、前記有機酸により水分離能が損なわれることを防ぐために、前記パーベーパレーション法を行う前に、前記エタノール水溶液のｐＨを調整することが必要になる。
【００２５】
そこで、本発明の装置においては、前記水分離膜として、ゼオライトからなる膜に代えて、芳香族スルホン酸イオン又は脂肪族スルホン酸イオンがドープされているポリピロールからなる膜を用いることが好ましい。前記ポリピロールからなる水分離膜を備える本発明の装置によれば、前記有機酸により該水分離膜の水分離能が損なわれることがないため、ｐＨを調整することなく、リグノセルロースの酵素糖化により生成した糖の水溶液をエタノール醗酵させて得られたエタノール水溶液から、濃縮されたエタノールを直ちに得ることができる。
【図面の簡単な説明】
【００２６】
【図１】本実施形態のエタノール水溶液の濃縮装置を示す説明図。
【図２】循環ポンプを備える本実施形態のエタノール水溶液の濃縮装置を示す説明図。
【発明を実施するための形態】
【００２７】
次に、添付の図面を参照しながら本発明の実施の形態についてさらに詳しく説明する。図１に示す本実施形態のエタノール水溶液の濃縮装置１は、パーベーパレーション用セル２と、エタノール水溶液貯留槽３と、乾燥ガスボンベ４と、吸引ポンプ５と、真空ポンプ６とを備えている。パーベーパレーション用セル２は、水分離膜２１と、水分離膜２１の上面側に配設されたエタノール水溶液容器２２と、水分離膜２１の下面側に配設された減圧容器２３とを備えている。
【００２８】
水分離膜２１は、直径が２６ｍｍの円形となっている。水分離膜２１としては、芳香族スルホン酸イオン又は脂肪族スルホン酸イオンがドープされているポリピロールからなる膜を好適に用いることができる。
【００２９】
前記ポリピロールにドープされる芳香族スルホン酸イオンとしては、例えば、下記の化学式（１）〜（１０）の構造を備えるものを挙げることができる。
【００３０】
【化１】
2010240566.tif 000003
【００３１】
【化２】
2010240566.tif 000004
【００３２】
【化３】
2010240566.tif 000005
【００３３】
【化４】
2010240566.tif 000006
【００３４】
【化５】
2010240566.tif 000007
【００３５】
【化６】
2010240566.tif 000008
【００３６】
【化７】
2010240566.tif 000009
【００３７】
【化８】
2010240566.tif 000010
【００３８】
【化９】
2010240566.tif 000011
【００３９】
【化１０】
2010240566.tif 000012
【００４０】
また、前記ポリピロールにドープされる脂肪族スルホン酸イオンとしては、例えば、下記の化学式（１１），（１２）の構造を備えるものを挙げることができる。
【００４１】
【化１１】
2010240566.tif 000013
【００４２】
【化１２】
2010240566.tif 000014
【００４３】
本実施形態では、水分離膜２１として、例えば、ポリビニルスルホン酸イオンがドープされているポリピロールからなる膜を用いることができる。
【００４４】
水分離膜２１の上面側に配設されたエタノール水溶液容器２２は、内径が２１ｍｍ、高さが８０ｍｍであり、下方が開口し上方が閉塞された筒状体からなる。エタノール水溶液容器２２は、下端部の外周面にフランジ２２ａを備えている。エタノール水溶液容器２２の下方の内周側には、水分離膜２１が露出している。
【００４５】
エタノール水溶液容器２２には、エタノール水溶液が収容され、その液面は所定の高さH以下に維持される。前記液面の上方には、前記エタノール水溶液から蒸発したエタノール蒸気が滞留する。以下、エタノール水溶液容器２２のうち、前記高さＨより下の部分をエタノール水溶液収容部２４といい、該高さＨより上の部分をエタノール蒸気滞留部２５という。
【００４６】
エタノール水溶液収容部２４は、第１の導管３１を介してエタノール水溶液貯留槽３に接続されている。第１の導管３１は、エタノール水溶液容器２２の側面に開口している。
【００４７】
エタノール蒸気滞留部２５は、第２の導管４１を介して乾燥ガスボンベ４に接続されているとともに、第３の導管５１を介して吸引ポンプ５に接続されている。第２の導管４１はエタノール蒸気滞留部２５の側面に開口し、第３の導管５１は第２の導管４１の反対側に開口している。
【００４８】
水分離膜２１の下面側に配設された減圧容器２３は、全体が漏斗形状であって、上端部に円形の焼結ガラスフィルタ（ＡＤＶＡＮＴＥＣ株式会社製、商品名：ＫＧ−２５）２６を備えるとともに、該上端部の外周面にフランジ２３ａを備えている。焼結ガラスフィルタ２６は、有効透過面積が３４．６ｍｍ２（直径２１ｍｍ）である。
【００４９】
焼結ガラスフィルタ２６の上面側の外周部には、パラフィルム（登録商標、Ａｌｃａｎ  Ｐａｃｋａｇｉｎｇ社製）からなるシール部材２７が配置されている。シール部材２７は、外径が２８ｍｍ、内径が２１ｍｍの円環状となっている。シール部材２７の上面側に水分離膜２１が配置されている。
【００５０】
また、減圧容器２３は、第４の導管６１を介して真空ポンプ６に接続されている。第４の導管６１は、減圧容器２３の底面に開口している。
【００５１】
エタノール水溶液貯留槽３には、リグノセルロースの酵素糖化により生成した糖の水溶液をエタノール醗酵させて得られたエタノール水溶液が収容されている。エタノール水溶液貯留槽３に接続する第１の導管３１の途中には、第１の開閉弁３２が設けられている。第１の開閉弁３２を開弁することにより、エタノール水溶液貯留槽３から前記エタノール水溶液がエタノール水溶液収容部２４に供給される。
【００５２】
乾燥ガスボンベ４には、乾燥空気、乾燥窒素等の乾燥ガスが収容されている。乾燥ガスボンベ４に接続する第２の導管４１の途中には、第２の開閉弁４２が設けられている。第２の開閉弁４２を開弁することにより、乾燥ガスボンベ４から乾燥ガスがエタノール蒸気滞留部２５に供給される。
【００５３】
吸引ポンプ５は、第３の導管５１を介して、エタノール蒸気滞留部２５の内部を吸引する。第３の導管５１の途中には、上流側から、第３の開閉弁５２と第１のコールドトラップ５３とが設けられている。第１のコールドトラップ５３は、エタノール蒸気滞留部２５から吸引された気体を凝縮させる。
【００５４】
真空ポンプ６は、第４の導管６１を介して減圧容器２３を減圧する。第４の導管６１の途中には、第２のコールドトラップ６２が設けられている。第２のコールドトラップ６２は、減圧容器２３から吸引された気体を凝縮させる。
【００５５】
次に、図１を参照して、本実施形態のエタノール水溶液の濃縮装置１の作動について説明する。まず、第２の開閉弁４２と第３の開閉弁５２とを閉弁した状態で、第１の開閉弁３２を開弁する。これにより、エタノール水溶液貯留槽３から前記エタノール水溶液がエタノール水溶液収容部２４に供給される。エタノール水溶液収容部２４に収容されたエタノール水溶液の液面が所定の高さＨに達した後、第１の開閉弁３２を閉弁する。
【００５６】
次に、真空ポンプ６を作動させる。これにより、第４の導管６１を介して減圧容器２３の内部が減圧される。この結果、エタノール水溶液収容部２４に収容されたエタノール水溶液に対して、パーベーパレーション法が施され、該エタノール水溶液から一部の水が分離される。分離された水は、水分離膜２１を透過して水蒸気となり、減圧容器２３及び第４の導管６１を介して第２のコールドトラップ６２に導入され凝縮される。
【００５７】
水分離膜２１は、エタノール水溶液に含まれる水を主として透過させるものの、該エタノール水溶液に含まれるエタノールも僅かながら透過させる。このため、前記エタノール水溶液から分離された一部の水は、実質的には、該エタノール水溶液よりもエタノール濃度が非常に低いエタノール水溶液となっている。
【００５８】
一方、前記パーベーパレーション法が施されたエタノール水溶液は、前記実質的にはエタノール濃度が非常に低いエタノール水溶液として、一部の水が分離されたことにより、該パーベーパレーション法が施される前のエタノール水溶液と比較して、エタノール濃度が高くなっている。これにより、前記パーベーパレーション法が施されたエタノール水溶液からは、エタノールが蒸発しやすくなる。この結果、エタノール蒸気が、前記パーベーパレーション法が施されたエタノール水溶液の液面より上方に設けられたエタノール蒸気滞留部２５に滞留する。
【００５９】
次に、第２の開閉弁４２と第３の開閉弁５２とを開弁するとともに、吸引ポンプ５を作動させる。これにより、乾燥ガスボンベ４から乾燥ガスがエタノール蒸気滞留部２５に供給されるとともに、エタノール蒸気滞留部２５内のエタノール蒸気と乾燥ガスとの混合気体が吸引ポンプ５により吸引されて第３の導管５１を介して第１のコールドトラップ５３に導入される。このとき、エタノール蒸気滞留部２５に乾燥ガスが供給されているので、吸引ポンプ５は前記混合ガスの吸引を継続することができる。
【００６０】
第１のコールドトラップ５３では、前記混合気体に含まれるエタノール蒸気が凝縮され、この結果、濃縮されたエタノールが回収される。前記濃縮されたエタノールは、前記パーベーパレーション法が施される前のエタノール水溶液と比較して、エタノール濃度が高くなっている。
【００６１】
したがって、本実施形態のエタノール水溶液の濃縮装置１によれば、リグノセルロースの酵素糖化により生成した糖の水溶液をエタノール醗酵させて得られたエタノール水溶液から、濃縮されたエタノールを得ることができる。
【００６２】
また、本実施形態のエタノール水溶液の濃縮装置１では、水分離膜２１として、芳香族スルホン酸イオン又は脂肪族スルホン酸イオンがドープされているポリピロールからなる膜を用いて、パーベーパレーション法を行う。このような水分離膜２１によれば、パーベーパレーション法の際、リグノセルロースの酵素糖化により生成した糖の水溶液をエタノール醗酵させて得られたエタノール水溶液に含まれる有機酸により、水分離能が損なわれることがない。
【００６３】
したがって、本実施形態のエタノール水溶液の濃縮装置１は、ｐＨを調整することなく、前記エタノール水溶液から濃縮されたエタノールを直ちに得ることができる。
【００６４】
また、本実施形態のエタノール水溶液の濃縮装置１では、第１の開閉弁３２を閉弁した状態で真空ポンプ６を作動させるとしているが、第１の開閉弁３２を開弁してもよい。この場合には、エタノール水溶液収容部２４に収容されたエタノール水溶液の液面が所定の高さＨに維持されるように、エタノール供給量を調節するとよい。
【００６５】
ところで、リグノセルロースの酵素糖化により生成した糖の水溶液をエタノール醗酵させて得られたエタノール水溶液は、リグニンや有機酸を含んでいる。エタノール水溶液収容部２４において、前記エタノール水溶液に含まれるリグニンや有機酸が、水分離膜２１の上面に堆積すると、該水分離膜２１の水分離能が損なわれてしまう。
【００６６】
そこで、本実施形態のエタノール水溶液の濃縮装置１は、図２に示す循環ポンプ７をさらに備えることが好ましい。図２に示すエタノール水溶液の濃縮装置８１は、循環ポンプ７と第５の導管７１と第６の導管７２とを備えることを除き、図１に示すエタノール水溶液の濃縮装置１と同一の構成を備えている。循環ポンプ７は、第５の導管７１を介してエタノール水溶液収容部２４に接続しているとともに、第６の導管７２を介してエタノール水溶液貯留槽３に接続している。
【００６７】
次に、図２を参照して、本実施形態のエタノール水溶液の濃縮装置８１の作動について説明する。まず、第２の開閉弁４２と第３の開閉弁５２とを閉弁した状態で、第１の開閉弁３２を開弁する。これにより、図１に示すエタノール水溶液の濃縮装置１と全く同一にして、エタノール水溶液貯留槽３から前記エタノール水溶液がエタノール水溶液収容部２４に供給される。エタノール水溶液収容部２４に収容されたエタノール水溶液の液面が所定の高さＨに達した後、第１の開閉弁３２を閉弁する。
【００６８】
次に、真空ポンプ６を作動させる。これにより、エタノール水溶液の濃縮装置１と全く同一にして、エタノール水溶液収容部２４に収容されたエタノール水溶液に対して、パーベーパレーション法が施され、該エタノール水溶液から一部の水が分離されるとともに、該エタノール水溶液から蒸発したエタノール蒸気がエタノール蒸気滞留部２５に滞留する。
【００６９】
エタノール水溶液の濃縮装置８１では、真空ポンプ６を作動させる際、第１の開閉弁３２を開弁するとともに循環ポンプ７を作動させる。これにより、エタノール水溶液収容部２４に収容されているエタノール水溶液の一部が、第５の導管７１及び第６の導管７２を介してエタノール水溶液貯留槽３に循環される。また、エタノール水溶液貯留槽３に収容されているエタノール水溶液がエタノール水溶液収容部２４に供給される。
【００７０】
このようにすると、エタノール水溶液収容部２４に収容されているエタノール水溶液が循環されて撹拌される。この結果、前記エタノール水溶液に含まれるリグニンや有機酸が、水分離膜２１の上面に堆積することを防止することができ、水分離膜２１による水分離を促進することができる。
【００７１】
また、水分離膜２１による水分離が促進される結果、前記パーベーパレーション法が施されたエタノール水溶液のエタノール濃度が高くなり、エタノール蒸気滞留部２５に滞留するエタノール蒸気量が増加するとともに、該エタノール蒸気のエタノール濃度が高くなる。
【００７２】
次に、第２の開閉弁４２と第３の開閉弁５２とを開弁するとともに、吸引ポンプ５を作動させる。これにより、エタノール水溶液の濃縮装置１と全く同一にして、エタノール蒸気滞留部２５内のエタノール蒸気と乾燥ガスとの混合気体が第１のコールドトラップ５３に導入される。そして、第１のコールドトラップ５３で前記混合気体に含まれるエタノール蒸気が凝縮される。
【００７３】
このとき、エタノール水溶液の濃縮装置８１では、エタノール蒸気滞留部２５に滞留するエタノール蒸気のエタノール濃度が高くなっているので、該エタノール蒸気を凝縮することにより、より高濃度に濃縮されたエタノールを得ることができる。
【００７４】
したがって、循環ポンプ７を備える本実施形態のエタノール水溶液の濃縮装置８１によれば、リグノセルロースの酵素糖化により生成した糖の水溶液をエタノール醗酵させて得られたエタノール水溶液から、より高濃度に濃縮されたエタノールを得ることができる。
【符号の説明】
【００７５】
１，８１…エタノール水溶液の濃縮装置、  ３…エタノール水溶液供給手段（エタノール水溶液貯留槽）、  ４…乾燥ガス供給手段（乾燥ガスボンベ）、  ５…吸引手段（吸引ポンプ）、  ６…減圧手段（真空ポンプ）、  ７…エタノール水溶液循環手段（循環ポンプ）、  ２１…水分離膜、  ２４…エタノール水溶液収容部、  ２５…エタノール蒸気滞留部、  ５３…エタノール回収手段（第１のコールドトラップ）。
【図１】
2010240566.tif 000015
【図２】
2010240566.tif 000016